(57)【要約】【課題】特別可動入賞装置内での遊技球の動きの変化を多様にすることが出来る、新規な構造のパチンコ機を提供することを、目的とする。【解決手段】特別可動入賞装置３０に入賞した遊技球が特定入球口７８に至る球経路上に、回転中心軸線に対する直交方向での外形断面が多角形とされて、特別可動入賞装置３０内を移動する遊技球が接触した際に遊技球の移動方向を変化せしめる球反射面９２，９３，９４が回転中心軸線回りの周方向に複数形成された回転体８２が設けられていると共に、回転体８２に形成された複数の球反射面９２，９３，９４のうちの一つである第一球反射面９２は、複数の球反射面９２，９３，９４のうちの一つで且つ第一球反射面９２とは異なる第二球反射面９３，９４に対して、遊技球の反発特性が異なって設定されている。【選択図】図２
2008264109.tif 000002
【特許請求の範囲】
【請求項１】
遊技球の始動入賞装置への入賞に基づいて入賞口が開放される特別可動入賞装置が設けられており、該特別可動入賞装置に入賞した遊技球が該特別可動入賞装置内に設けられた特定入球口に入球することによって、遊技者に有利な特別遊技状態が発生するパチンコ機であって、
前記特別可動入賞装置に入賞した遊技球が前記特定入球口に至る球経路上において、一軸回りに回転可能とされていると共に、その回転中心軸線に対する直交方向での外形断面が多角形とされていることにより、該特別可動入賞装置内を移動する遊技球が接触した際に該遊技球の移動方向を変化せしめる球反射面が、該回転中心軸線回りの周方向に複数形成された回転体が設けられていると共に、該回転体に形成された複数の該球反射面のうちの一つである第一球反射面は、複数の該球反射面のうちの一つでかつ該第一球反射面とは異なる第二球反射面に対して、遊技球の反発特性が異なって設定されていることを特徴とするパチンコ機。
【請求項２】
前記回転体の前記回転中心軸線に対する直交方向での断面形状が三角形とされている請求項１に記載のパチンコ機。
【請求項３】
前記回転体に対して板ばねが設けられており、該板ばねの表面を含んで前記球反射面が構成されている請求項１又は２に記載のパチンコ機。
【発明の詳細な説明】
【技術分野】
【０００１】
本発明は、遊技球の始動入賞装置への入賞に基づいて入賞口が開放される特別可動入賞装置に入賞した遊技球が、かかる特別可動入賞装置内に設けられた特定入球口に入球することによって、遊技者に有利な特別遊技状態が発生するパチンコ機に関するものである。
【背景技術】
【０００２】
従来から、始動入賞装置に遊技球が入賞すると、それまで閉鎖されていた特別可動入賞装置の入賞口が開放されて、特別可動入賞装置への遊技球の入賞が可能になり、かかる特別可動入賞装置に入賞した遊技球が特別可動入賞装置内に設けられた特定入球口に入球することによって、遊技者に有利な特別遊技状態が発生するパチンコ機が知られている。
【０００３】
この種のパチンコ機においては、特別可動入賞装置に入賞した遊技球が特定入球口に入球するか否かが遊技者の最大の関心事になることから、特別可動入賞装置内での遊技球の動きに遊技者の興味を惹きつけるための工夫を施す必要がある。
【０００４】
そこで、特許文献１に記載されているように、下部入賞空間に進出したときの揺動位置において後部入賞空間からの遊技球の進行流路に干渉し、下部入賞空間の中央方向に遊技球の流路を変化させるようにした入賞装置が提案されている。
【０００５】
しかしながら、特許文献１に記載の入賞装置にあっては、可動片において遊技球が接触する球反射面が一つしかないことから、遊技球の反射の態様が単調になってしまい、興趣に欠けるという問題があった。
【０００６】
【特許文献１】特開平５−１０３８６０号公報
【発明の開示】
【発明が解決しようとする課題】
【０００７】
ここにおいて、本発明は、上述の如き事情を背景として為されたものであって、その解決課題とするところは、特別可動入賞装置内での遊技球の動きの変化を多様にすることが出来る、新規な構造のパチンコ機を提供することにある。
【課題を解決するための手段】
【０００８】
以下、このような課題を解決するために為された本発明の態様を記載する。なお、以下に記載の各態様において採用される構成要素は、可能な限り任意の組み合わせで採用可能である。
【０００９】
本発明は、遊技球の始動入賞装置への入賞に基づいて入賞口が開放される特別可動入賞装置が設けられており、特別可動入賞装置に入賞した遊技球が特別可動入賞装置内に設けられた特定入球口に入球することによって、遊技者に有利な特別遊技状態が発生するパチンコ機であって、特別可動入賞装置に入賞した遊技球が特定入球口に至る球経路上において、一軸回りに回転可能とされていると共に、その回転中心軸線に対する直交方向での外形断面が多角形とされていることにより、特別可動入賞装置内を移動する遊技球が接触した際に遊技球の移動方向を変化せしめる球反射面が、回転中心軸線回りの周方向に複数形成された回転体が設けられていると共に、かかる回転体に形成された複数の球反射面のうちの一つである第一球反射面は、複数の球反射面のうちの一つで且つ第一球反射面とは異なる第二球反射面に対して、遊技球の反発特性が異なって設定されていることを、特徴とする。
【００１０】
このような本発明に従う構造とされたパチンコ機においては、特別可動入賞装置に入賞した遊技球が特定入球口に至る球経路上に設けられた回転体の回転中心軸線回りの周方向に複数の球反射面が形成されていることから、遊技球が球反射面に対して衝突する角度を、回転体の回転位置によって異ならせることが可能となる。これにより、回転体の球反射面に衝突した遊技球が跳ね返る方向を変化させることが可能となる。
【００１１】
従って、本発明のパチンコ機においては、特別可動入賞装置内での遊技球の動きの変化を多様にすることが可能となる。
【００１２】
そこにおいて、本発明では、回転体に形成された複数の球反射面のうちの一つである第一球反射面が、複数の球反射面のうちの一つで且つ第一球反射面とは異なる第二球反射面に対して、遊技球の反発特性が異なって設定されていることから、遊技球が球反射面に衝突して跳ね返る際の勢い等を、遊技球が衝突する球反射面に応じて、異ならせることが可能となる。
【００１３】
従って、本発明のパチンコ機においては、特別可動入賞装置内での遊技球の動きの変化を一層多様にすることが可能となる。
【００１４】
なお、本発明において、回転体に形成された球反射面は、回転体の回転中心軸線に対して平行であっても良いし、傾斜していても良い。そこにおいて、本発明では、複数の球反射面の全てが、回転体の回転中心軸線に対して平行であったり、傾斜していたりする必要はなく、複数の球反射面のうちの幾つかが、回転体の回転中心軸線に対して平行とされている一方、残りの球反射面が、回転体の回転中心軸線に対して傾斜していても良い。また、本発明では、幾つかの球反射面が回転体の回転中心軸線に対して傾斜している場合、これらの球反射面の回転中心軸線に対する傾斜角度は、同じであっても良いし、異なっていても良い。
【００１５】
さらに、本発明では、回転体の回転中心軸線は、遊技球の跳ね返り方向を回転体の回転位置によって大きく異ならせるという観点から、回転体の回転中心軸線に対する直交方向での断面の中心を通っている必要はないが、回転体を駆動せしめる駆動手段として電動モータが好適に採用されることを考慮すると、回転体の回転中心軸線に対する直交方向での断面の中心を通っていることが望ましい。これにより、回転体の回転位置に応じて電動モータに及ぼされる負荷が異なることによる不具合を有利に回避することが可能となる。
【００１６】
更にまた、本発明では、回転体の回転中心軸線に対する直交方向での断面形状は、遊技球の跳ね返り方向を回転体の回転位置によって大きく異ならせるという観点から、各辺の長さや隣り合う二辺の為す角度が異なる多角形であっても良いが、回転体を駆動せしめる駆動手段として電動モータが好適に採用されることを考慮すると、各辺の長さや隣り合う二辺の為す角度が互いに同じ大きさとされている正多角形であることが望ましい。これにより、回転体の回転位置に応じて電動モータに及ぼされる負荷が異なることによる不具合を有利に回避することが可能となる。
【００１７】
そこにおいて、本発明では、遊技球の跳ね返り方向が回転体の回転位置によって大きくことなるという観点から、回転体の回転中心軸線に対する直交方向での断面に表れる多角形は、角（辺）の数が少ないほうが望ましく、より好適には、三角形とされる。これにより、ある時点での球反射面の位置に回転体の回転中心軸線回りの周方向で隣に位置する球反射面が到達するまでの時間を長くすることが可能となる。換言すれば、遊技球が球反射面に衝突する角度が特定の角度になる間隔（周期）を長くすることが可能となる。その結果、遊技球の跳ね返り方向を回転体の回転位置によって大きく異ならせることが有利に実現され得ることとなる。
【００１８】
また、本発明では、回転体の回転中心軸線が延びる方向は、特に限定されるものではなく、例えば、鉛直方向や水平方向，更には、これら鉛直方向や水平方向に対して傾斜した方向であっても良い。
【００１９】
さらに、本発明において、「遊技球の反発特性」とは、球反射面に衝突した遊技球の跳ね返りについての特性をいう。そこにおいて、球反射面における遊技球の反発特性を異ならせる方法としては、例えば、回転体の回転中心軸線回りの周方向の特定位置において、球反射面を形成する部材の形成材料を異ならせたり、球反射面を形成する部材の厚さ寸法を異ならせる方法等が考えられるが、回転体に板ばねを設けて、かかる板ばねの表面を含んで球反射面を構成する方法を採用することが望ましく、より好適には、一つの成形品で構成された枠体に切欠を形成し、かかる枠体の一部によって弾性変形可能な板ばねを構成する方法が採用される。これにより、回転体において必要な部品点数を少なくすることが可能になると共に、回転体の製造を容易にすることが可能となる。
【００２０】
更にまた、本発明では、第一球反射面は一つであっても良いし、二つ以上であっても良い。
【発明を実施するための最良の形態】
【００２１】
以下、本発明を更に具体的に明らかにするために、本発明の実施形態について、図面を参照しつつ、詳細に説明する。
【００２２】
図１には、本発明の一実施形態としてのパチンコ機１０が示されている。このパチンコ機１０において機体の外郭を為す外枠１２の開口前面側には、縦長方形の中枠１４が開閉及び着脱自在に組み付けられている。また、中枠１４には、後述する遊技領域２８が形成された遊技盤１６が着脱自在に組み付けられており、かかる遊技盤１６に形成された遊技領域２８は、中枠１４に対して開閉可能に組み付けられた前枠１８によって保持されている透明板を通して遊技者に視認されるようになっている。そして、中枠１４に突設された操作ハンドル２０に対して回動可能に装着された操作レバー２２を遊技者が回動操作することにより、中枠１４に設けられた発射球貯留皿２４に貯留されている遊技球が、図示しない球送り機構を介して発射装置（図示せず）に送られた後、遊技領域２８に向けて発射されるようになっている。
【００２３】
続いて、中枠１４に組み付けられている遊技盤１６について説明する。この遊技盤１６は、表面に合成樹脂製のシートが被着された遊技板を備えており、かかる遊技板の表面側には、レールセット２６が固着されている。これにより、遊技盤１６には、レールセット２６によって囲まれた略円形の遊技領域２８が形成されている。
【００２４】
かかる遊技領域２８の略中央には、特別可動入賞装置としてのセンター役物３０が設けられている。このセンター役物３０は、図２乃至図４に示されているように、前方に開口する凹室３２を備えており、かかる凹室３２の開口端から外方に向かって突出する取付板３４によって、遊技板（遊技盤１６）に取り付けられるようになっている。
【００２５】
そこにおいて、センター役物３０には、凹室３２の上方において、閉鎖部材としての一対の羽根部材３６，３６が、それぞれ、一軸回りに傾動可能な状態で配されている。そして、一対の羽根部材３６，３６が起立せしめられた状態では、凹室３２の上方に設けられた入賞口３８が羽根部材３６，３６によって実質的に閉鎖されて、遊技球の入賞口３８への入賞が出来ないようにされている一方、一対の羽根部材３６，３６が傾動せしめられた状態では、入賞口３８が実質的に開放されて、遊技球の入賞口３８への入賞が許容されている。
【００２６】
なお、本実施形態では、遊技領域２８に設けられた始動入賞装置４０に遊技球が入賞することにより、一対の羽根部材３６，３６が所定の作動パターンに基づいて傾動せしめられるようになっている。
【００２７】
また、入賞口３８に入賞した遊技球は、従来から公知の近接スイッチによって構成されたカウントスイッチ４２，４３によって検出された後、凹室３２内に入ってくるようになっている。そして、凹室３２内に入ってきた遊技球は、凹室３２の上下方向の略中央に設けられて、凹室３２の手前側から奥側に向かって下る転動面を有する上側ステージ４４に落下して、かかる上側ステージ４４上を転動した後、凹室３２の底面に形成された下側ステージ４６に落下するようになっている。
【００２８】
そこにおいて、本実施形態では、上側ステージ４４から下側ステージ４６に落下する遊技球は、上側ステージ４４からの落下位置によっては、下側ステージ４６に直接落下することなく、一対の振分ステージ４８，４９の何れか一方に落下し、振分ステージ４８，４９上を転動してから、下側ステージ４６に落下することがある。
【００２９】
かかる一対の振分ステージ４８，４９は、凹室３２の幅方向（図２中の左右方向）に適当な間隔をあけた状態で、凹室３２の奥壁から前方に向かって突出するように設けられており、特に本実施形態では、各振分ステージ４８，４９は、遊技球が転動する転動面としての上面が、棟の境にして両方に流れをもつ切妻屋根の如き形状とされている。
【００３０】
そして、振分ステージ４８，４９に落下した遊技球は、振分ステージ４８，４９における転動面のうち棟よりも他の振分ステージ４９，４８側の位置する部分を転動する場合には、一対の振分ステージ４８，４９の間から下側ステージ４６に落下するようになっている一方、振分ステージ４８，４９における転動面のうち棟よりも凹室３２の側壁側（他の振分ステージ４９，４８とは反対の側）に位置する部分を転動する場合には、振分ステージ４８，４９と凹室３２の側壁面との間から下側ステージ４６に落下するようになっている。
【００３１】
そこにおいて、本実施形態では、一対の振分ステージ４８，４９の間から下側ステージ４６に落下してきた遊技球は、下側ステージ４６に形成されたあみだ状の球通路５０を通って凹室３２の奥側から手前側に向かって転がるようになっている。
【００３２】
このあみだ状の球通路５０は、複数（本実施形態では、三つ）の誘導通路としてのガイド溝５２，５３，５４を含んで構成されている。これら三つのガイド溝５２，５３，５４は、それぞれ、凹室３２の奥行方向にストレートに延びることによって、一つの入口７２，７３，７４に対して出口７５，７６，７７が一つ形成されており、その底面は凹室３２の奥側から手前側へと緩やかに傾斜する傾斜面とされている。また、本実施形態では、隣り合う二つのガイド溝（左端のガイド溝５２と真中のガイド溝５３，真中のガイド溝５３と右端のガイド溝５４）が、共通の側壁５７，５８を有するようにして、三つのガイド溝５２，５３，５４が並んでいる。
【００３３】
なお、本実施形態では、三つのガイド溝５２，５３，５４のうち左端に位置するガイド溝５２における外側の側壁５６と、右端に位置するガイド溝５４における外側の側壁５９は、それぞれ、他の側壁５７，５８、即ち、右端のガイド溝５２と真中のガイド溝５３に共通の側壁５７や左端のガイド溝５４と真中のガイド溝５３に共通の側壁５８よりも高さ寸法が低くされている。
【００３４】
また、三つのガイド溝５２，５３，５４のうち隣り合う二つのガイド溝（左端のガイド溝５２と真中のガイド溝５３，真中のガイド溝５３と右端のガイド溝５４）に共通の側壁５７，５８、即ち、真中のガイド溝５３の両側壁５７，５８には、それぞれ、通路方向（溝が延びる方向）の適当な位置において、連通路としての切欠６０，６１，６２が形成されている。
【００３５】
そこにおいて、切欠６０，６１，６２は、ガイド溝５２，５３，５４の溝幅方向の投影において、互いに重ならない位置に形成されており、特に本実施形態では、真中のガイド溝５３と左端のガイド溝５２に共通の側壁５７に二つ形成されている一方、真中のガイド溝５３と右端のガイド溝５４に共通の側壁５８に一つ形成されており、溝幅方向の投影において、真中のガイド溝５３と左端のガイド溝５２に共通の側壁５７に形成された二つの切欠６０，６１の間に、真中のガイド溝５３と右端のガイド溝５４に共通の側壁５８に形成された一つの切欠６２が位置せしめられるようになっている。
【００３６】
また、本実施形態では、各ガイド溝５２，５３，５４の底壁には、切欠６０，６１，６２の下流端付近において、挿通孔６４が形成されており、かかる挿通孔６４には、障壁としての突出壁６６が挿通配置されている。
【００３７】
突出壁６６は、略一定の断面形状でストレートに延びる、厚肉の板形状を呈している。そこにおいて、本実施形態では、各突出壁６６において、ガイド溝５２，５３，５４の上流側の面６７は、切欠６０，６１，６２寄りの部分が切欠６０，６１，６２から離れた部分よりもガイド溝５２，５３，５４の下流側に位置する傾斜面とされている。換言すれば、各突出壁６６において、ガイド溝５２，５３，５４の上流側の面６７は、切欠６０，６１，６２側に向かって下降傾斜されているのである。
【００３８】
このような突出壁６６は、挿通孔６４に対して凹室３２の底壁の裏側から挿通配置されており、かかる状態で、その下端部分が、センター役物３０に対して適当な取付部材（図示せず）を介して取り付けられたソレノイド６８のプランジャ７０に連結されている。
【００３９】
そして、プランジャ７０が突出している状態では、突出壁６６が底面からガイド溝５２，５３，５４内に突出している一方、プランジャ７０が引っ込んでいる状態では、突出壁６６の突出端面が底面と同じ高さに位置せしめられて、突出壁６６が底面からガイド溝５２，５３，５４内に突出しないようになっている。なお、このことから明らかなように、本実施形態では、各突出壁６６によって、可動壁が構成されている。
【００４０】
このようなあみだ状の球通路５０においては、三つのガイド溝５２，５３，５４の何れかの入口７２，７３，７４から遊技球が入ってくるようになっている。そして、遊技球は、ガイド溝５２，５３，５４を凹室３２の奥側から手前側へ転がってくる際に、ガイド溝５２，５３，５４の底面から突出した突出壁６６に当たると、突出壁６６における接触壁面としての上流側の面６７によって切欠６０，６１，６２のほうへ案内されて、切欠６０，６１，６２を通って隣のガイド溝５２，５３，５４に入るようになっている。
【００４１】
具体的には、左端のガイド溝５２を転がっている遊技球は、切欠６０，６１の下流端付近においてガイド溝５２内に突出する突出壁６６，６６によって、真中のガイド溝５３に導かれるようになっている。また、真中のガイド溝５３を転がっている遊技球は、切欠６０，６１の下流端付近においてガイド溝５３内に突出する突出壁６６，６６によって、左端のガイド溝５２に導かれるようになっている一方、切欠６２の下流端付近においてガイド溝５３内に突出する突出壁６６によって、右端のガイド溝５４に導かれるようになっている。更にまた、右端のガイド溝５４を転がっている遊技球は、切欠６２の下流端付近においてガイド溝５４内に突出する突出壁６６によって、真中のガイド溝５３に導かれるようになっている。
【００４２】
一方、ガイド溝５２，５３，５４の底面から突出壁６６が突出していない場合には、遊技球は同じガイド溝５２，５３，５４内をそのまま転がり続けるようになっている。
【００４３】
そこにおいて、突出壁６６の作動は、ソレノイド６８への通電のＯＮ／ＯＦＦによって制御されるようになっているが、かかるソレノイド６８への通電のＯＮ／ＯＦＦは、パチンコ機１０の作動を制御する主制御回路（図示せず）によって行われるようになっている。特に本実施形態では、ソレノイド６８への通電のＯＮ／ＯＦＦは、パチンコ機１０への電源の供給の開始から終了まで、予め定められた突出作動パターンに基づいて、連続的に繰り返し行われるようになっている。
【００４４】
そして、上述の如く、あみだ状の球通路５０を転がってきた遊技球は、真中のガイド溝５３の出口７６から出てきた場合に、特定入球口としてのＶ入賞口７８に入り、その後、遊技盤１６の裏側に排出されるようになっている。これにより、所定の開閉作動パターンに基づいて、一対の羽根部材３６，３６が作動せしめられることにより、センター役物３０への遊技球の入賞が可能となって、通常の遊技状態よりも多くの賞球を得ることが出来る特別遊技状態としての大当たり遊技状態が発生する。一方、左端のガイド溝５２の出口７５や右端のガイド溝５４の出口７７から出てきた遊技球は、Ｖ入賞口７８に入らずに、排出口８０を通って遊技盤１６の裏側に排出されるようになっている。
【００４５】
また、本実施形態では、一方の振分ステージ４８における転動面のうち棟よりも凹室３２の側壁側（他の振分ステージ４９とは反対の側）に位置する部分を転動した後、振分ステージ４８と凹室３２の側壁面との間から下側ステージ４６に落下する遊技球は、その落下位置によっては、凹室３２の一方の側面から突出した状態で一軸回りに回転可能に設けられた回転体８２に当たることがある。
【００４６】
この回転体８２は、本実施形態では、図５及び図６にも示されているように、全体として厚肉の円板形状を呈する基台８４に対して、その厚さ方向一方の面から突出するように、枠体８６が設けられた構造とされている。
【００４７】
より詳細には、本実施形態の枠体８６は、開口方向に直交する方向での外形断面が三角形とされており、特に本実施形態では、開口方向に直交する方向での外形断面が正三角形とされている。即ち、本実施形態の枠体８６は、三つの側壁８８，８９，９０を備えた構造とされているのである。
【００４８】
そして、本実施形態の枠体８６は、一方の開口端面が基台８４の厚さ方向一方の面に重ね合わせられるようにして、基台８４に対して一体的に設けられている。即ち、本実施形態では、枠体８６の開口方向と基台８４の中心軸線が延びる方向が一致しているのである。
【００４９】
そこにおいて、本実施形態では、基台８４の中央部分において、枠体８６の一端側の開口と略同じ大きさの開口が形成されている。これにより、本実施形態では、基台８４と枠体８６が一体形成され得るようになっている。因みに、本実施形態の回転体８２は、ＡＢＳ等の合成樹脂材料によって形成されており、射出成形等によって、基台８４と枠体８６が一体形成されている。
【００５０】
また、本実施形態の枠体８６は、その開口方向に直交する方向での外形断面が、一方の開口端（基端）から他方の開口端（突出端）へと行くに従って次第に小さくなっている。これにより、本実施形態の枠体８６は、その外形形状が三角錐台の如き形状とされているのである。
【００５１】
さらに、本実施形態の枠体８６は、その外周面を構成する三つの球反射面としての外側壁面９２，９３，９４のそれぞれにおいて、内側への傾斜角度が略同じとされている。これにより、本実施形態では、一方の開口端（基端）に表れている正三角形の中心と他方の開口端（突出端）に表れている正三角形の中心とが、枠体８６の開口方向に延びる一本の直線上に位置するようになっているのである。因みに、本実施形態では、一方の開口端（基端）に表れている正三角形の中心と他方の開口端（突出端）に表れている正三角形の中心とが、基台８４の中心軸線上に位置するようになっている。
【００５２】
更にまた、本実施形態の枠体８６は、三つの側壁８８，８９，９０のうちの一つに対して一対の切込９６，９６が形成されており、特に本実施形態では、かかる一対の切込９６，９６は、それぞれ、側壁８８の突出端から基端に至るまで形成されている。これにより、三つの側壁８８，８９，９０のうちの一つには、一対の切込９６，９６の間において、弾性変形が許容された板ばね９８が存在するようになっている。
【００５３】
すなわち、本実施形態では、枠体８６における三つの外側壁面９２，９３，９４のうちの一つが、その一部が板ばね９８の表面１００によって構成されており、それによって、かかる外側壁面９２の一部には、他の外側壁面９３，９４とは異なる、遊技球の反発特性が付与されているのである。よって、本実施形態においては、例えば外側壁面９２を第一球反射面として把握すれば、外側壁面９３又は外側壁面９４を第二球反射面として把握することができる。
【００５４】
このような構造とされた回転体８２は、凹室３２の側壁に形成された挿通孔に基台８４が挿通配置されて、その中心軸線が凹室３２の幅方向に延びた状態で、センター役物３０に組み付けられるようになっており、この状態で、回転体８２は、図示しない駆動手段としての電動モータによって、基台８４の中心軸線を回転中心軸線として、一軸回りに回転せしめられるようになっている。
【００５５】
なお、本実施形態では、このようにして回転体８２がセンター役物３０に組み付けられた状態で、基台８４の厚さ方向一方の面（枠体８６が突出しているほうの面）は、凹室３２の側面と滑らかに接続されている。
【００５６】
また、本実施形態では、このようにして回転体８２がセンター役物３０に組み付けられた状態で、枠体８６の外側壁面９２，９３，９４は、凹室３２の幅方向（水平方向）に対して凹室３２の内側に向かって下る傾斜面とされている。
【００５７】
そこにおいて、本実施形態では、電動モータへの通電は、ソレノイド６８への通電と同様に、パチンコ機１０の作動を制御する主制御回路（図示せず）によって行われるようになっており、特に本実施形態では、パチンコ機１０への電源の供給の開始から終了まで継続して行われるようになっている。その結果、本実施形態では、回転体８２は、パチンコ機１０への電源の供給の開始から終了まで一定の回転速度で回転し続けるようになっているのである。なお、回転体８２を特定の回転位置（例えば、板ばね９８が下側ステージ４６から最も離隔した位置）で所定時間停止した後、再び一定の回転速度で回転するようにしても良い。
【００５８】
そして、一方の振分ステージ４８における転動面のうち棟よりも凹室３２の側壁側（他の振分ステージ４９とは反対の側）に位置する部分を転動した後、振分ステージ４８と凹室３２の側壁面との間から下側ステージ４６に落下する遊技球は、板ばね９８の表面１００に落下した場合には、板ばね９８の弾性によって、大きく飛び跳ねて、左端のガイド溝５２における外側の側壁５６を飛び越えて、何れかのガイド溝５２，５３，５４に入ることがある。一方、他の外側壁面９３，９４に落下した遊技球は、左端のガイド溝５２における外側の側壁５６を飛び越えることはないようになっている。
【００５９】
なお、本実施形態では、他方の振分ステージ４９における転動面のうち棟よりも凹室３２の側壁側（一方の振分ステージ４８とは反対の側）に位置する部分を転動する遊技球は、他方の振分ステージ４９と下側ステージ４６を接続するスロープ１０２を通って下側ステージ４６に導かれることがある。そして、スロープ１０２の出口付近において下側ステージ４６の転動面から突出可能に配された突出体１０４に当たった遊技球は、右端のガイド溝５４における外側の側壁５９を飛び越えて、何れかのガイド溝５２，５３，５４に入ってくることがある。
【００６０】
このような構造とされたパチンコ機１０においては、センター役物３０に入賞した遊技球は、下側ステージ４６に形成されたあみだ状の球通路５０を通る際において、その転動方向が突出壁６６によって変化せしめられるようになっていることから、遊技球の動きに遊技者の興味を惹きつけて遊技者を楽しませることが可能となる。
【００６１】
そこにおいて、本実施形態では、一方の振分ステージ４８における転動面のうち棟よりも凹室３２の側壁側（他の振分ステージ４９とは反対の側）に位置する部分を転動した後に振分ステージ４８と凹室３２の側壁面との間から下側ステージ４６に落下する遊技球が当たる回転体８２は、一軸回りに回転せしめられて、遊技球が衝突する外側壁面９２，９３，９４の回転中心軸線に対する相対的な位置関係が刻一刻と変化するようになっていることから、振分ステージ４８から落下する遊技球が外側壁面９２，９３，９４に衝突する角度を異ならせて、遊技球が下側ステージ４６に落下する位置を異ならせることが可能となる。
【００６２】
従って、本実施形態では、センター役物３０内での遊技球の動きの変化を多様にすることが可能となる。
【００６３】
特に本実施形態では、回転体８２の開口方向に対する直交方向の断面形状が正三角形とされていることから、回転体８２が１２０度回転しなければ、回転体８２の外側壁面９２，９３，９３の回転中心軸線に対する周方向での相対的な位置関係が先の位置関係と同じにならないようになっている。換言すれば、回転体８２の外側壁面９２，９３，９４の回転中心軸線に対する周方向での相対的な位置関係が同じになる周期が長くされている。それ故、振分ステージ４８から落下する遊技球が外側壁面９２，９３，９４に衝突する角度が異なっている期間を長くすることが可能となり、回転体８２の外側壁面９２，９３，９４に落下した遊技球が下側ステージ４６に落下する位置を異ならせることを有利に実現することが可能となる。
【００６４】
また、本実施形態では、回転体８２に板ばね９８が設けられていることから、かかる板ばね９８に当たった遊技球は、板ばね９８の弾性によって、大きく飛び跳ねて、左端のガイド溝５２における外側の側壁５６を飛び越えて、何れかのガイド溝５２，５３，５４に入る場合がある、即ち、一対の振分ステージ４８，４９の間から下側ステージ４６に落下しなかった遊技球にあみだ状の球通路５０を転動する可能性を残すことが可能となるのである。その結果、一対の振分ステージ４８，４９の間から下側ステージ４６に遊技球が落下しなかった場合でも、振分ステージ４８上を遊技球が凹室３２の側壁面のほうへ転動している場合には、遊技球があみだ状の球通路５０を転動するかもしれないという期待を遊技者に抱かせることが可能となる。なお、このことから明らかなように、回転体８２は入賞口３８からセンター役物３０内に入ってきた遊技球がＶ入賞口７８に至る球経路上に位置せしめられているのである。
【００６５】
さらに、本実施形態では、回転体８２の一部を構成する枠体８６の側壁８８に一対の切込９６，９６を設けることによって、回転体８２に板ばね９８を設けていることから、回転体８２の外側壁面９２の反発特性を他の外側壁面９３，９４の反発特性と異ならせることが容易になると共に、反発特性が異なる外側壁面９２を備えた回転体８２の製造も容易になる。
【００６６】
以上、本発明の一実施形態について詳述してきたが、これはあくまでも例示であって、本発明は、かかる実施形態における具体的な記載によって、何等、限定的に解釈されるものではない。
【００６７】
例えば、回転体の球反射面の傾斜方向や角度は、遊技球を跳ね返らせる方向等に応じて適宜に設定されるものであって、前記実施形態の記載に限定されるものではない。具体的には、回転中心軸線に対して傾斜している必要はないし、複数の球反射面に対して異なる傾斜方向や傾斜角度を設定しても良い。
【００６８】
また、本発明に係る回転体の配設部位は、前記実施形態の位置に限定されるものではなく、例えば、遊技球の転動面に対して直交する方向に延びる回転中心軸線回りに回転体を回転させるようにしても良い。
【００６９】
さらに、回転体の回転中心軸線に対する直交方向での断面形状は、四角形や五角形等でも良い。
【００７０】
更にまた、回転体の球反射面の反発特性を異ならせる方法としては、例えば、回転体として外周面に開口する凹所や窓を備えたものを採用し、かかる凹所の開口や窓をゴム膜等で覆蓋する方法等を採用することも出来る。
【００７１】
また、前記実施形態において、側壁８８に形成された切込９６よりも長さが短い切込を側壁８９に一対形成することにより、回転体８２に板ばね９８の他にも板ばねを設けて、外側壁面９２や外側壁面９４とは異なる反発特性を外側壁面９３に付与しても良い。即ち、三つの外側壁面９２，９３，９４の反発特性を互いに異なるようにしても良い。
【００７２】
その他、一々列挙はしないが、本発明は、当業者の知識に基づいて種々なる変更，修正，改良等を加えた態様において実施され得るものであり、また、そのような実施態様が本発明の趣旨を逸脱しない限り、何れも、本発明の範囲内に含まれるものであることは、言うまでもない。
【図面の簡単な説明】
【００７３】
【図１】本発明の一実施形態としてのパチンコ機を示す正面図。
【図２】同パチンコ機で採用されているセンター役物の正面図。
【図３】図２におけるＩＩＩ−ＩＩＩ方向の断面図であって、その要部を示す断面図。
【図４】図２におけるＩＶ−ＩＶ方向の断面図であって、その要部を示す断面図。
【図５】図２のセンター役物に組み付けられている回転体を示す平面図。
【図６】同回転体の斜視図。
【符号の説明】
【００７４】
１０：パチンコ機，３０：センター役物，３８：入賞口，４０：始動入賞装置，７８：Ｖ入賞口，９２：外側壁面，９３：外側壁面，９４：外側壁面
【図１】
2008264109.tif 000003
【図２】
2008264109.tif 000004
【図３】
2008264109.tif 000005
【図４】
2008264109.tif 000006
【図５】
2008264109.tif 000007
【図６】
2008264109.tif 000008